(57)【特許請求の範囲】
【請求項１】
冷蔵庫本体と、
この冷蔵庫本体に開閉自在に取り付けられた横開き式扉と、
この横開き式扉の扉内板の容器取付部に着脱自在に係合される容器と
を備え、
上記容器は、冷蔵庫幅方向の中間に高さ位置段差と、この高さ位置段差の両側に上記容器取付部との係合位置高さが互いに異なる係合部とを有し、
上記容器の上記高さ位置段差にて区画された高さ位置の低い側を、上記横開き式扉の上記冷蔵庫本体への取り付け側に、配置し、
上記横開き式扉は、上記扉内板の左右の各々の上記容器取付部に、高さの異なる係合部を備えて、
上記横開き式扉が右開きの場合、上記横開き式扉の上記冷蔵庫本体への右側の取り付け側の上記容器取付部の高さの低い係合部に、上記容器の高さの低い係合部を取り付け、
上記横開き式扉が左開きの場合、上記横開き式扉の上記冷蔵庫本体への左側の取り付け側の上記容器取付部の高さの低い係合部に、上記容器の高さの低い係合部を取り付けるようにしたことを特徴とする冷蔵庫。
【請求項２】
上記容器は、上記横開き式扉に、左右逆に取り付け可能であることを特徴とする請求項１記載の冷蔵庫。
【請求項３】
上記高さ位置段差にて区画された容器の高さ位置の低い側の底部に穴を設け、該穴を通して下方容器とともに瓶類収納容器としたことを特徴とする請求項１記載の冷蔵庫。
【請求項４】
上記瓶類収納容器は、２個の容器を係合させ配設したことを特徴とする請求項３記載の冷蔵庫。
【請求項５】
上記高さ位置段差を設けた容器の上下方向に見た四つの角部の形状を対角にあるものを同じにしたことを特徴とする請求項３記載の冷蔵庫。
【発明の詳細な説明】
【０００１】
【発明の属する技術分野】
本発明は冷蔵庫に関し、さらに詳細には扉内板の瓶類収納容器に関する。
【０００２】
【従来の技術】
最も近い従来技術として、特開昭５５−５０４０５号公報に開示されているように、冷蔵庫扉の内板に着脱自在に取り付けた少なくとも２段の容器の上方容器の底面に開閉自在の蓋を設け、該蓋を開けて下方容器とで瓶類など比較的長い物を収納できるようにしている瓶類収納容器がある。
【０００３】
また、特開昭５９−５２３８１号公報に開示されるていように、容器を着脱自在に取り付ける係合部を容器の数より多く冷蔵庫扉の内板に設けられている瓶類収納容器がある。
【０００４】
【発明が解決しようとする課題】
上記の特開昭５５−５０４０５号公報では、右開き冷蔵庫扉および左開き冷蔵庫扉の両方に対して、必ずしも重い瓶類をヒンジ側にすることができないという課題があり、また上記の特開昭５９−５２３８１号公報では、各収納容器の両側部の係合高さが同じであり、扉開閉時に容器に加わる回転力は同じ回転中心で受けるという課題があり、本発明はこれらの課題を解決することを目的とする。
【０００５】
【課題を解決するための手段】
請求項１に記載された発明は、冷蔵庫本体と、この冷蔵庫本体に開閉自在に取り付けられた横開き式扉と、この横開き式扉の扉内板の容器取付部に着脱自在に係合される容器とを備え、
上記容器は、冷蔵庫幅方向の中間に高さ位置段差と、この高さ位置段差の両側に上記容器取付部との係合位置高さが互いに異なる係合部とを有し、
上記容器の上記高さ位置段差にて区画された高さ位置の低い側を、上記横開き式扉の上記冷蔵庫本体への取り付け側に、配置し、
上記横開き式扉は、上記扉内板の左右の各々の上記容器取付部に、高さの異なる係合部を備えて、
上記横開き式扉が右開きの場合、上記横開き式扉の上記冷蔵庫本体への右側の取り付け側の上記容器取付部の高さの低い係合部に、上記容器の高さの低い係合部を取り付け、
上記横開き式扉が左開きの場合、上記横開き式扉の上記冷蔵庫本体への左側の取り付け側の上記容器取付部の高さの低い係合部に、上記容器の高さの低い係合部を取り付けるようにしたことを特徴とするものであり、この構成により上記容器の両側の係合部の係合位置高さを互いに異ならせて扉開閉時に容器に加わる回転力を受ける回転中心が異なることになる。また、容器に冷蔵庫幅方向の高さ位置段差を設けて高さの異なる収納物を容易に収納可能となる。また、比較的重量の重い瓶類を冷蔵庫扉のヒンジ側に配設して、比較的重量の重い瓶類に扉開閉時に加わる慣性力を低く押さえることができ、軽くて静かな扉開閉動作に寄与できる。
【０００６】
請求項２に記載された発明は、上記容器は、上記横開き式扉に、左右逆に取り付け可能であることを特徴とするものであり、この構成により容易に比較的重量の重い瓶類を収納する容器を冷蔵庫扉のヒンジ側に配設することができる。
【０００７】
請求項３に記載された発明は、高さ位置段差にて区画された容器の高さ位置の低い側の底部に穴を設け、該穴を通して下方容器とともに瓶類収納容器としたことを特徴とするものであり、この構成により瓶類を絡めた合理的収納レイアウトが簡単に実現できる。
【０００８】
請求項４に記載された発明は、瓶類収納容器は、２個の容器を係合させ配設したことを特徴とするものであり、この構成により該瓶類収納容器は比較的重量の重い瓶類に扉開閉時に加わる慣性力による衝撃への対抗力が増強可能となる。
【０００９】
請求項５に記載された発明は、高さ位置段差を設けた容器の上下方向に見た四つの角部の形状を対角にあるものを同じにしたことを特徴とするものであり、この構成により容易に比較的重量の重い瓶類を収納する容器を冷蔵庫扉のヒンジ側に配設することができる。
【００１０】
【発明の実施の形態】
本発明の冷蔵庫扉の容器取付装置を、図面を参照して説明する。
【００１１】
以下の実施の形態は本発明を具体化したー例で本発明の技術的範囲を制限するものではない。
【００１２】
本発明の実施の形態を図に従って詳細に説明する。図１は本発明の横開き式扉を右開きにした冷蔵庫全体図である。図２は図１の冷蔵庫の横開き式扉単体の正面図である。図３は図１の冷蔵庫の高さ位置段差にて区画された上方容器の斜視図である。図４は図３の上方容器を下方容器に係合させる部分Ａの拡大図である。図５は本発明の横開き式扉を左開きにした冷蔵庫全体図である。図６は図３の上方容器の他の実施例の斜視図である。図７は図６の上方容器を扉に取り付けた正面図である。図８は図３の上方容器の他の実施例の斜視図である。図９は図８の上方容器を扉に取り付けた正面図である。図１０は図３の上方容器を扉内板の左右端部に形成された土手部に取り付ける係合部の他の実施例の要部斜視図である。
【００１３】
図１において１は冷蔵庫、２は冷蔵室、３は効率的に物品を冷やすために冷蔵室内に配設された１個あるいは２個以上の棚、４はチルド室、５は自動製氷用給水タンク、６は冷気吹き出し口、７は庫内灯、８は温度調節器、９は冷蔵庫１に開閉自在に枢支された横開き式扉、１０、１１は横開き式扉９の扉内板の左右端部に扉内板に突出させ一体成形によって形成された土手部、１２は上方容器であり、その両側部の係合位置高さを互いに異ならせて着脱自在に取り付けられており、該上方容器１２の幅方向高さ位置および底位置で段差が設けられている。
【００１４】
そして該上方容器１２は比較的重量の重い瓶類を冷蔵庫扉のヒンジ側に収納するように、扉内板の土手部１０、１１に係合し着脱自在に取り付けられている。また、該上方容器１２は前後方向で扉内板の土手部１０、１１から半分程度飛び出すように着脱自在に取り付けられている。１３は下方容器、１４は上方容器１２と下方容器１３とで係合して構成された瓶類収納容器である。係合状態は、図４にて後述する。１５は引き出し式第１冷凍室で、１６は引き出し式第２冷凍室、１７は引き出し式野菜室である。
【００１５】
図２において１８ａ、１８ｂは上方容器１２を着脱自在に取り付けるために扉内板の土手部１０、１１に突出させ一体成形によって形成された一対の係合部である。１９ａ、１９ｂは上方容器１２を左右逆に着脱自在に取り付ける場合の扉内板の土手部１０、１１に突出させ一体成形によって形成された一対の係合部である。
【００１６】
図３において２０は高さ位置段差付近に設けられた区画壁で上方容器１２を区画している。２１は該上方容器１２を区画して、穴を設けた片側底部である。２２ａ、２２ｂは扉内板の土手部１０、１１に突出させ一体成形によって形成された一対の係合部１８ａ、１８ｂに対応し係合して着脱自在に取り付ける上方容器１２に設けた凹形係合部である。２３ａ、２３ｂは横開き式扉９を左開きにした場合に比較的重量の重い瓶類を冷蔵庫扉のヒンジ側に収納するよう上方容器１２を左右逆に着脱自在に取り付ける場合の扉内板の土手部１０、１１に突出させ一体成形によって形成された一対の係合部１９ａ、１９ｂに対応し係合して着脱自在に取り付ける上方容器１２に設けた凹形係合部である。
【００１７】
該凹形係合部の中の２２ａ，２３ａは他の凹形係合部２２ｂ，２３ｂが設けられている面に対向する面に設けられている。該凹形係合部２２ａ、２２ｂ、２３ａ、２３ｂは前後方向の中心から偏っている。２４ａ、２４ｂ、２４ｃ、２４ｄは上方容器１２の四つの角部であり、矢印方向Ｂでの形状は同じであり、左右逆の取り付けが容易に可能としている。左右逆の取り付ける場合、対角同士（２４ａと２４ｃ、２４ｂと２４ｄ）が同形状であれば十分可能である。２５は高さ位置段差にて区画された上方容器１２に設けた下方容器１３との係合部である。
【００１８】
図４において高さ位置段差にて区画された上方容器１２に設けた下方容器１３との係合部２５の形状を示している。上方容器１２が内側になって下方容器１３と係合させる。該係合部２５の形状はこれに限定するものではない。
【００１９】
図５において横開き式扉９を左開きにした場合に比較的重量の重い瓶類を冷蔵庫扉のヒンジ側に収納するように上方容器１２を左右逆に取り付けている。
【００２０】
図６において下端部が平坦な上方容器１２で、高さ位置段差にて区画された高さ位置の低い側の片側底部２１に穴を設けている。
【００２１】
図７において下端部が平坦でかつ高さ位置の低い側の区画された片側底部２１に穴を設けてなる上方容器１２（図６参照）を下方容器１３とは係合させずに扉に着脱自在に取り付けている。
【００２２】
図８において上方容器１２は高さ位置段差にて区画された高さ位置の低い側の片側底部２１に穴を設けていない。
【００２３】
図９において下端部が平坦で底部に穴のない上方容器１２（図８参照）を下方容器１３とは係合させずに深底側を冷蔵庫扉のヒンジ側にして扉に着脱自在に取り付けている。
【００２４】
図１０において２６は上方容器１２の前後方向で中心部に設けた扉内板の土手部１０、１１との係合部である。
【００２５】
両側部の係合位置高さを互いに異ならせて着脱自在に冷蔵庫扉に係合してなる容器は、扉開閉時に容器に加わる回転力を受ける回転中心が異なることになる。
【００２６】
容器に冷蔵庫幅方向の高さ位置段差を設けたことにより高さの異なる収納物を容易に収納できる。
【００２７】
高さ位置段差にて区画された容器の片側底部に穴を設け、該穴を通して下方容器とともに構成される瓶類収納容器としたことにより瓶類を絡めた合理的収納レイアウトが簡単にできる。
【００２８】
瓶類収納容器を、２個の容器を係合させ配設したことにより瓶類収納容器は比較的重量の重い瓶類に扉開閉時に加わる慣性力による衝撃への対抗力が増強される。
【００２９】
瓶類収納容器を冷蔵庫扉のヒンジ側に着脱自在に配設したことにより比較的重量の重い瓶類に扉開閉時に加わる慣性力を低く押さえることができ、軽くて静かな扉開閉動作に寄与できる。
【００３０】
高さ位置段差を設けた容器の矢印方向Ｂに見た四つの角部の形状を対角にあるものを同じにしたことにより容易に比較的重量の重い瓶類を収納する容器を冷蔵庫扉のヒンジ側に着脱自在に配設することができる。
【００３１】
【発明の効果】
請求項１に記載された発明によれば、上記容器の両側の係合部の係合高さを互いに異ならせることにより、扉開閉時に容器に加わる回転力を異なる回転中心で受けるので、扉開閉時に強い力を受けても脱落しにくい取り付けとなる。また、容器に冷蔵庫幅方向の高さ位置段差を設けることにより、高さの異なる収納物の収納配置を簡単に行うことができ、特に幅広の冷蔵庫において使い勝手のよい扉ポケット構造を安価に提供できる。また、比較的重量の重い瓶類を冷蔵庫扉のヒンジ側に配設することにより、比較的重量の重い瓶類に扉開閉時に加わる慣性力を低く押さえることができ、軽くて静かな扉開閉動作に寄与できる。
【００３２】
請求項２に記載された発明によれば、上記容器は、上記横開き式扉に、左右逆に取り付け可能であることにより、容易に比較的重量の重い瓶類を収納する容器を冷蔵庫扉のヒンジ側に配設することができる。
【００３３】
請求項３に記載された発明によれば、高さ位置段差にて区画された容器の高さ位置の低い側の底部に穴を設け、該穴を通して下方容器につながる瓶類収納容器とすることにより、瓶類を絡めた合理的収納レイアウトが簡単に実現できる。
【００３４】
請求項４に記載された発明によれば、上記瓶類収納容器において、上記２個の容器を係合させ配設することにより、上記瓶類収納容器は比較的重量の重い瓶類に扉開閉時に加わる慣性力による衝撃への対抗力が増強可能となる。
【００３５】
請求項５に記載された発明によれば、高さ位置段差を設けた容器の四つの角部を矢印方向Ｂに見た場合の形状を対角同士を同じにすることにより、容易に比較的重量の重い瓶類を収納する容器を冷蔵庫扉のヒンジ側に配設することができる。
【図面の簡単な説明】
【図１】本発明の扉を右開きにした冷蔵庫全体を示す正面図である。
【図２】図１に示す冷蔵庫の横開き式扉単体の正面図である。
【図３】図１に示す冷蔵庫の高さ位置段差にて区画された上方容器の斜視図である。
【図４】図３に示す上方容器の下方容器との係合部の拡大図である。
【図５】本発明の扉を左開きにした冷蔵庫全体を示す正面図である。
【図６】図３に示す上方容器の他の実施例の斜視図である。
【図７】図６に示す上方容器を扉に取り付けた正面図である。
【図８】図３に示す上方容器の他の実施例の斜視図である。
【図９】図８に示す上方容器を扉に取り付けた正面図である。
【図１０】図３に示す上方容器に設けた扉内板の土手部との係合部の他の実施例の要部斜視図である。
【符号の説明】
１  冷蔵庫
２  冷蔵室
３  棚
４  チルド室
５  自動製氷用給水タンク
６  冷気吹き出し口
７  庫内灯
８  温度調節器
９  横開き式扉
１０、１１  扉内板の土手部
１２  高さ位置段差にて区画された上方容器
１３  下方容器
１４  瓶類収納容器
１５  引き出し式第１冷凍室
１６  引き出し式第２冷凍室
１７  引き出し式野菜室
１８ａ，１８ｂ  扉内板の土手部に設けた右開き時用の係合部
１９ａ，１９ｂ  扉内板の土手部に設けた左開き時用の係合部
２０  上方容器の区画壁
２１  上方容器の底部
２２ａ，２２ｂ  上方容器に設けた右開き時用の扉内板の土手部との係合部
２３ａ，２３ｂ  上方容器に設けた左開き時用の扉内板の土手部との係合部
２４ａ、２４ｂ、２４ｃ、２４ｄ  上方容器の四つの角部
２５  上方容器に設けた下方容器との係合部
２６  上方容器に設けた扉内板の土手部との係合部
【図１】
0003589838.tif 000002
【図２】
0003589838.tif 000003
【図３】
0003589838.tif 000004
【図４】
0003589838.tif 000005
【図５】
0003589838.tif 000006
【図６】
0003589838.tif 000007
【図７】
0003589838.tif 000008
【図８】
0003589838.tif 000009
【図９】
0003589838.tif 000010
【図１０】
0003589838.tif 000011